(57)【特許請求の範囲】
【請求項１】
枠体にスライド自在にされた引戸のスライド閉方向側の一端部に設けられ且つ当該引戸を閉状態で保持する引戸のロック機構において、
開口を有する筐体と、この筐体の内部に回動可能に軸支されており且つ筐体の開口から突出して枠体の係合孔に係合可能なカマ錠と、このカマ錠の回動に応じて回転可能な回転片と、前記筐体の他端側に引戸を挟むようにして取り付けられた把手部と、前記回転片を回転させるための部材であり且つ把手部に上下動可能に設けられた駆動片と、この駆動片を上下動させるためのロッカスイッチと、このロッカスイッチの上下動に連動する表示片と、前記ロッカスイッチと表示片とを連結する連結棒とを具備しており、
前記駆動片には引戸の一端部の端面から把手部が嵌合する取付孔の中心線までの距離に応じて選択的に使用される２つの駆動片側連結穴が、前記表示片には前記駆動片側連結穴に対応した２つの表示片側連結穴がそれぞれ設けられており、前記駆動片側連結穴と表示片側連結穴とに前記連結棒の両端部が挿入され、当該連結棒は前記回転片の貫通孔を貫通していることを特徴とする引戸のロック機構。
【請求項２】
請求項１記載の引戸のロック機構において、駆動片には凸部が設けられており、ロッカスイッチの駆動片対向面には、駆動片の凸部に上側から当接可能な上側突起と、当該駆動片の凸部に下側から当接可能な下側突起とが設けられていることを特徴とする引戸のロック機構。
【請求項３】
請求項１又は２記載の引戸のロック機構において、カマ錠の幅方向の回動方向側の一端面には、前記引戸の一端部の端面の開口縁部に当接可能な緩衝材が設けられていることを特徴とする引戸のロック機構。
【発明の詳細な説明】
【技術分野】
【０００１】
本発明は、枠体にスライド自在にされた引戸を閉状態で保持する引戸のロック機構に関する。
【背景技術】
【０００２】
この種の引戸のロック機構としては、施錠、解錠を操作することができる操作部を備えたものがある。具体的には、引戸のスライド閉方向側の端部に設けられており且つ一端面が当該端部の端面から露出する筐体と、この筐体に回動可能に設けられており且つ先端部が筐体の一端面の開口から突出して枠体の係合穴に係合されるカマ錠と、筐体の他端側の位置に引戸を挟むように設けられた把手部と、この把手部に上下動可能に設けられており且つ上下動に応じてカマ錠を回動させる駆動片とを備えており、この駆動片には使用者に操作される突起部が設けられた構成となっている( 特許文献１参照) 。
【０００３】
即ち、前記突起部を上下に操作することにより、カマ錠の施錠、解錠が操作できるようになっている。
【０００４】
【特許文献１】実開昭５７- １２３４５８号公報
【発明の開示】
【発明が解決しようとする課題】
【０００５】
ところが、前記突起部を操作して駆動片を上下動させるためには、大きな力が必要となる。このため、お年寄り等の力の弱い者にとっては、操作し難いという本質的な欠点を有している。
【０００６】
本発明は、上記事情に鑑みて創案されたものであって、その目的とするところは、大きな力を必要とせず、簡単に操作することができる操作部を有した引戸のロック機構を提供することにある。
【課題を解決するための手段】
【０００７】
上記課題を解決するために、本発明の引戸のロック機構は、枠体にスライド自在にされた引戸のスライド閉方向側の一端部に設けられ且つ当該引戸を閉状態で保持する引戸のロック機構において、
開口を有する筐体と、この筐体の内部に回動可能に軸支されており且つ筐体の開口から突出して枠体の係合孔に係合可能なカマ錠と、このカマ錠の回動に応じて回転可能な回転片と、前記筐体の他端側に引戸を挟むようにして取り付けられた把手部と、前記回転片を回転させるための部材であり且つ把手部に上下動可能に設けられた駆動片と、この駆動片を上下動させるためのロッカスイッチと、このロッカスイッチの上下動に連動する表示片と、前記ロッカスイッチと表示片とを連結する連結棒とを具備しており、
前記駆動片には引戸の一端部の端面から把手部が嵌合する取付孔の中心線までの距離に応じて選択的に使用される２つの駆動片側連結穴が、前記表示片には前記駆動片側連結穴に対応した２つの表示片側連結穴がそれぞれ設けられており、前記駆動片側連結穴と表示片側連結穴とに前記連結棒の両端部が挿入され、当該連結棒は前記回転片の貫通孔を貫通していることを特徴としている。
【０００８】
前記ロッカスイッチの駆動片対向面には、駆動片の凸部に上側から当接可能な上側突起と、当該駆動片の凸部に下側から当接可能な下側突起とが設けられている。
【０００９】
カマ錠の幅方向の回動方向側の一端面には、前記引戸の一端部の端面の開口縁部に当接可能な緩衝材が設けられていることが好ましい。
【発明の効果】
【００１０】
本発明の請求項１に係る引戸のロック機構による場合、押下操作によりロッカスイッチが回転して駆動片に当接し、これにより当該駆動片を上下動させるようになっている。即ち、ロッカスイッチが押下操作されることにより、カマ錠が収容位置から突出位置にかけて回動し、解錠又は施錠がなされる。このようなロッカスイッチの押下操作は、従来例の駆動片の突起部の上下動の操作と比べて大きな力を必要としないので、お年寄り等の力の弱い者であっても、簡単に操作することができる。その結果、使い勝手が向上する。
【００１１】
本発明の請求項２に係る引戸のロック機構による場合、押下操作に応じてロッカスイッチが回転し、その上側突起が駆動片の凸部に当接して当該駆動片が上方向に駆動する又は下側突起が駆動片の凸部に当接して当該駆動片が下方向に駆動するようになっている。このロッカスイッチの上側突起、下側突起は、駆動片に当接して駆動させる当接部としての機能の他、駆動片の当て止めとしても機能する。このため、引戸に衝撃が加わり、駆動片が不用意に動作するのを防止することができる。即ち、引戸に加わった衝撃により、駆動片に連動してカマ錠が誤作動するのを防止することができるので、従来例と比べて信頼性の高い機構とすることができる。
【００１２】
本発明の請求項３に係る引戸のロック機構による場合、カマ錠の幅方向の回動方向側の一端面に設けられた緩衝材が、カマ錠が係合位置に位置したときに、引戸の一端部の端面の開口縁部に当接するようになっている。このため、係合時のロック音を消音することができる。
【発明を実施するための最良の形態】
【００１３】
以下、本発明の実施の形態に係る引戸のロック機構について図面を参照しながら説明する。図１は本発明の実施の形態に係る引戸のロック機構が設けられた引戸の模式的正面図、図２はＡ部分の概略的拡大図であって、把手部の内部構成が透過し且つ筐体の取付板の一部を破断した状態の図、図３はＡ部分の拡大正面図、図４は同機構の一部が透過した側面図、図５は同機構の把手部の第１の把手体を示す図であって、( ａ) が正面図、( ｂ) が側面図、( ｃ）が背面図、図６は同機構の把手部の第２の把手体を示す図であって、( ａ) が正面図、( ｂ) が側面図、( ｃ）が背面図、図７は同機構の駆動片を示す図であって、( ａ) が正面図、( ｂ) が側面図、( ｃ）が背面図、( ｄ) が断面図、図８は同機構の表示片を示す図であって、( ａ) が正面図、( ｂ) が側面図、( ｃ）が背面図、( ｄ) が断面図、図９は同機構のロッカスイッチを示す図であって、( ａ) が正面図、( ｂ) が側面図、( ｃ）が背面図である。
【００１４】
ここに掲げる引戸のロック機構は、枠体１０にスライド自在にされた引戸２０のスライド閉方向側の一端部２１に設けられ且つ当該引戸２０を閉状態で保持するロック機構であって、開口１２１を有する筐体１００と、筐体１００の内部に回動可能に軸支されており且つ筐体１００の開口１２１から突出して枠体１０の係合孔１１ａに係合可能なカマ錠２００と、カマ錠２００の回動に応じて回転可能な回転片３００と、筐体１００の他端側に引戸２０を挟むようにして取り付けられた把手部４００と、回転片３００を回転させるための部材であり且つ把手部４００に上下動可能に設けられた駆動片５００と、この駆動片５００を上下動させるためのロッカスイッチ６００とを具備した構成となっている。以下、各部を詳しく説明する。
【００１５】
枠体１０は、図１及び図２に示すように、矩形状の枠であって、一対の縦枠１１、１２と、この縦枠１１、１２の上下に渡された横枠１３、１４とを有しており、図示右側部分が板体で塞がれている。横枠１３、１４の少なくとも一方には、引戸２０をスライド自在に保持するための図示しないガイドレールが設けられおり、図示左側部分が引戸２０により開閉可能になっている。縦枠１１の端面には係合穴１１ａが開設されている。
【００１６】
引戸２０は、図１及び図２に示すように、矩形状の板体であって、スライド閉方向側の一端部２１に筐体１００が嵌まり込む矩形状の穴である嵌合穴２１ａと、この嵌合穴２１ａと連通し且つ引戸２０を厚み方向に貫通する楕円形の取付孔２１ｂとが設けられている。この取付孔２１ｂには把手部４００が嵌合するようになっている。
【００１７】
筐体１００は、図２に示すように、嵌合穴２１に嵌合する筒状の本体１１０と、この本体１１０の一方の開放端面を閉塞するように設けられた取付板１２０とを有する。取付板１２０は、図３に示すように、引戸２０の一端部２１の端面にネジ止めされる板であって、開口１２１が設けられている。
【００１８】
カマ錠２００は、図２及び図３に示すように、数字の略１字状の部材であって、２枚の金属板に樹脂板２２０を挟んだ構成となっている。樹脂板２２０はカマ錠２００の先端部２１０から突出するように、先端部の形状が前記金属板よりも若干大きくなっている。この樹脂板２２０には、カマ錠２００の幅方向の回動方向の一端面から突出する突起部２２１( 即ち、緩衝材) が設けられている。この突起部２２１が筐体１００の開口１２１の開口縁部に当接し、係合時に発生する音を消す。
【００１９】
このカマ錠２００は、後端部が筐体１００内に回動可能に軸支され、先端部２１０が筐体１００内に収容される収容位置から筐体１００の開口１２１から突出する突出位置にかけて移動可能となっている。このカマ錠２００の先端部２１０が鉤状に折れ曲がっており、枠体１０の係合穴１１ａに係合されることにより、引戸２０が枠体１０に閉状態で保持される( 即ち、施錠状態となる) 。
【００２０】
回転片３００は、筐体１００に回転可能に設けられた略へ字状の部材であって、カマ錠２００と駆動片５００とを連結する。すなわち、図２に示すように、回転片３００の先端に開設された貫通孔３１０に連結棒８００が貫通することで、駆動片５００の動きを回転片３００に伝えるのである。これにより駆動片５００の上下動に応じてカマ錠２００が回動可能となる。
【００２１】
把手部４００は、図４、図５及び図６に示すように、引戸２０の取付孔２１ｂに一方側から嵌まり込む第１の把手体４１０と、取付孔２１ｂに他方側から嵌まり込み、第１の把手体４１０にネジ止めされる第２の把手体４２０とを有している。
【００２２】
第１の把手体４１０は、図５に示すように、表面側に設けられたユーザが手をかける凹状の把持部４１１と、この把持部４１１内に一体的に設けられたロッカスイッチ６００を収容するための収容部４１２と、裏面側に設けられた駆動片５００を上下動可能にガイドするガイド部４１３( 図５( ｃ）参照) とを有している。収容部４１２の両端部には、ロッカスイッチ６００を軸支するための軸支部４１２ａ、４１２ａが設けられている。また、収容部４１２の底面には、駆動片５００の凸部５２０が臨む開口４１２ｂが設けられている。
【００２３】
第２の把手体４２０は、図６に示すように、表面側に設けられたユーザが手をかける凹状の把持部４２１と、この把持部４２１の上方位置に設けられた後述する表示片７００の表示面が露出する表示口４２２と、裏面側に設けられた表示片７００を上下動可能にガイドするガイド部４２３( 図６( ｃ）参照) とを有している。
【００２４】
駆動片５００は、図４及び図７に示すように、第１の把手体４１０のガイド部４１３に上下動可能にガイドされる部材であって、上端部に第１、第２の駆動片側連結穴５１１、５１２が設けられている。この第１、第２の駆動片側連結穴５１１、５１２は、引戸２０の一端部２１の端面から取付孔２１ｂの中心線までの距離（いわゆるバックステップ量）に応じていずれか一方に表示片７００及び回転片３００と連結するための連結棒８００が挿入されることにより、選択的に使用される。
【００２５】
この駆動片５００の下端部には、第１の把手体４１０の収容部４１２の開口４１２ｂから臨み、ロッカスイッチ６００の裏面に対向する凸部５２０が設けられている。この凸部５２０がロッカスイッチ６００に上下方向に押圧される。
【００２６】
表示片７００は、図４及び図８に示すように、第２の把手体４２０のガイド部４２３に上下動可能にガイドされる部材であって、上端部に駆動片５００の第１、第２の駆動片側連結穴５１１、５１２に対向する第１、第２の表示片側連結穴７１１、７１２が設けられている。この第１、第２の表示片側連結穴７１１、７１２は、引戸２０のバックステップ量に応じていずれか一方に連結棒８００が挿入されることにより、選択的に使用される。
【００２７】
即ち、表示片７００は、駆動片５００と共に上下動するようになっている。この表示片７００の第２の把手体４２０の対向面には引戸２０の施錠状態及び解錠状態を示す、例えば、開閉の文字が付された表示面７２０が設けられている。即ち、表示面７２０の開閉の文字が表示片７００の上下動に伴って第２の把手体４２０の表示口５２２から交互に露出するようになっている。
【００２８】
ロッカスイッチ６００は、図４及び図９に示すように、側面視略逆く字状の部材であって、その両端部に第１の把手体４１０の収容部４１２の軸支部４１２ａ、４１２ａに回転可能に軸支される一対の軸部７１０、７１０が設けられている。このロッカスイッチ６００は、表面が収容部４１２から露出する操作面となっており、駆動片５００と対向する裏面に上側、下側突起７２１、７２２が設けられている。即ち、ロッカスイッチ６００が押下操作され、上側、下側突起７２１、７２２が駆動片５００の凸部５２０を上側、下側から押圧することにより、駆動片５００及び表示片７００を上下動させる。
【００２９】
このような構成のロック機構の使用方法を説明すると共に、各部の動作について説明する。解錠状態では、カマ錠２００の先端部２１０は収容位置に位置している。
【００３０】
まず、引戸２０をスライドさせ、枠体１０を塞ぐ。そして、ロッカスイッチ６００の表面の上側部を押下操作する。すると、ロッカスイッチ６００が回転し、当該ロッカスイッチ６００の上側突起７２１により駆動片５００の凸部５２０が上側から押圧され、駆動片５００及び表示片７００が下方向に移動する。このとき、第２の把手体４２０の表示口５２２から表示片７００の表示面７２０に記された閉の文字が表示される。
【００３１】
この駆動片５００の移動に伴って回転片３００が回転し、カマ錠２００が回動してその先端部２１０が収容位置から突出位置に向けて移動する。このカマ錠２００の先端部２１０が突出位置に位置すると、枠体１０の縦枠１１の係合孔１１ａに係合される。このようにして施錠される。
【００３２】
その後、解錠するに当たり、ロッカスイッチ６００の表面の下側部を押下操作する。すると、ロッカスイッチ６００が回転し、当該ロッカスイッチ６００の下側突起７２２により駆動片５００の凸部５２０が下側から押圧される。これにより駆動片５００及び表示片７００が上方向に移動する。このとき、第２の把手体４２０の表示口５２２から表示片７００の表示面８２０に記された開の文字が表示される。
【００３３】
この駆動片５００の移動に伴って回転片３００が回転し、カマ錠２００が回動してその先端部２１０が突出位置から収容位置に向けて移動する。これにより縦枠１１の係合孔１１ａとの係合が外れ、解錠される。
【００３４】
このようなロック機構による場合、ロッカスイッチ６００を押下操作するだけで、駆動片５００が上下動し、これによりカマ錠２００が回動し、施錠又は解錠が行われるようになっている。このようなロッカスイッチ６００の押下操作は、従来例の駆動片の突起部の上下動の操作と比べて大きな力を必要としない。よって、お年寄り等の力の弱い者であっても、簡単に操作することができる。よって、使い勝手が向上する。
【００３５】
しかも、ロッカスイッチ６００の上側、下側突起７２１、７２２が駆動片５００の凸部５２０に上側、下側から当接可能となっているので、上側、下側突起７２１、７２２が駆動片５００に当接して駆動させるための当接部としての機能だけでなく、不用意に動作するのを防止する駆動片５００の当て止め部としても機能するようになっている。即ち、引戸２０に衝撃が加わり、駆動片５００が不用意に動作するのを防止することができるようになっているので、駆動片５００の不用意な駆動に伴ってカマ錠２００が誤作動するのを防止することができる。よって、従来例と比べて信頼性の高い機構とすることができる。
【００３６】
なお、この引戸のロック機構は、枠体にスライド自在にされた引戸のスライド閉方向側の一端部に回動可能に設けられており且つ前記一端部の端面の開口から突出して枠体の係合孔に係合可能なカマ錠と、このカマ錠を前記引戸の一端部内に収容する収容位置から当該一端部の端面の開口から突出する突出位置にかけて回動させるために上下動可能な駆動片とを備えた引戸のロック機構であって、押下操作に応じて回転可能なロッカスイッチを有しており、このロッカスイッチは回転に応じて駆動片に当接し、これにより当該駆動片を上下動させるようになっている限りどのようなどのような設計変更を行ってもかまわない。
【００３７】
筐体１００については、カマ錠２００の先端部２１０が突出する開口を有し且つカマ錠２００及び回転片３００を軸支可能である限りどのようなものであっても良い。例えば、取付板１２０を設けず、本体１１０の一端部を閉塞して前記開口を設けることもできる。
【００３８】
カマ錠２００については、筐体１００に軸支され、引戸２０に設けられるとしたが、引戸２０に直接設けることも一応可能である。この場合、回転片３００も同様に引戸２０に直接設けるようにする。また、２枚の金属板に樹脂板２２０を挟んだ構成であるとしたが、カマ錠として機能し得るものであればどのようなものを用いても良い。
【００４０】
駆動片５００については、把手部４００の第１の把手体４１０に上下動可能にガイドされるとしたが、引戸２０にガイド部を設けて引戸２０に直接設けるようにすることも一応可能である。この駆動片５００は表示片７００と連結されるとしたが、省略することが可能である。
【図面の簡単な説明】
【００４２】
【図１】本発明の実施の形態に係る引戸のロック機構が設けられた引戸の模式的正面図である。
【図２】Ａ部分の概略的拡大図であって、把手部の内部構成が透過し且つ筐体の取付板の一部を破断した状態の図である。
【図３】Ａ部分の拡大正面図である。
【図４】同機構の一部が透過した側面図である。
【図５】同機構の把手部の第１の把手体を示す図であって、( ａ) が正面図、( ｂ) が側面図、( ｃ）が背面図である。
【図６】同機構の把手部の第２の把手体を示す図であって、( ａ) が正面図、( ｂ) が側面図、( ｃ）が背面図である。
【図７】同機構の駆動片を示す図であって、( ａ) が正面図、( ｂ) が側面図、( ｃ）が背面図、( ｄ) が断面図である。
【図８】同機構の表示片を示す図であって、( ａ) が正面図、( ｂ) が側面図、( ｃ）が背面図、( ｄ) が断面図である。
【図９】同機構のロッカスイッチを示す図であって、( ａ) が正面図、( ｂ) が側面図、( ｃ）が背面図である。
【符号の説明】
【００４３】
１０      枠体
１１      縦枠
１１ａ    係合穴
２０      引戸
２１      端部
１００    筐体
１２１    開口
２００    カマ錠
２１０    先端部
５００    駆動片
５２０    凸部
６００    ロッカスイッチ
６２１    上側突起
６２２    下側突起
【図２】
0004580287.tif 000002
【図１】
0004580287.tif 000003
【図３】
0004580287.tif 000004
【図４】
0004580287.tif 000005
【図５】
0004580287.tif 000006
【図６】
0004580287.tif 000007
【図７】
0004580287.tif 000008
【図８】
0004580287.tif 000009
【図９】
0004580287.tif 000010